【手続補正書】
【提出日】平成23年12月27日(2011.12.27)
【手続補正１】
【補正対象書類名】特許請求の範囲
【補正対象項目名】全文
【補正方法】変更
【補正の内容】
【特許請求の範囲】
【請求項１】
印刷データに基づいて印刷処理を実行する印刷装置であって、
印刷対象のページデータに含まれる、複数のページデータで共通して再利用可能な再利用可能オブジェクトと同一の再利用可能オブジェクトが、記憶装置の保存領域に保存されているか否かを判定する判定手段と、
前記判定手段によって、前記再利用可能オブジェクトと同一の再利用可能オブジェクトが、記憶装置の保存領域に保存されていないと判定された場合、前記再利用可能オブジェクトを前記記憶装置の保存領域に保存すると共に、前記ページデータのプルーフ印刷を行うよう制御する制御手段と、
を有することを特徴とする印刷装置。
【請求項２】
前記判定手段は、印刷対象のページデータに含まれ、かつ、予め指定された、複数のページデータで共通して再利用可能な再利用可能オブジェクトと同一の再利用可能オブジェクトが、記憶装置の保存領域に保存されているか否かを判定し、
前記制御手段は、前記判定手段によって前記再利用可能オブジェクトと同一の再利用可能オブジェクトが、記憶装置の保存領域に保存されていないと判定された場合、前記再利用可能オブジェクトを前記記憶装置の保存領域に保存すると共に、前記ページデータのプルーフ印刷を行うよう制御することを特徴とする請求項１に記載の印刷装置。
【請求項３】
前記制御手段は、プリンタ手段より色合わせを実行した旨のイベント通知を受け取った場合、前記記憶装置の保存領域に保存されている再利用可能オブジェクトを削除することを特徴とする請求項１又は２に記載の印刷装置。
【請求項４】
前記制御手段は、操作手段を介してユーザ指示を受け取った場合、前記記憶装置の保存領域に保存されている再利用可能オブジェクトを削除することを特徴とする請求項１又は２に記載の印刷装置。
【請求項５】
前記制御手段は、前記プルーフ印刷によって得られる印刷物の排紙先と異なる排紙先に前記印刷データに基づいて実行される通常印刷によって得られる印刷物が排紙されるように制御することを特徴とする請求項１乃至４の何れか１項に記載の印刷装置。
【請求項６】
第１の排紙部と第２の排紙部とを備える印刷装置であって、
印刷データに基づいて実行された通常印刷により得られる印刷物を前記第１の排紙部に出力する通常印刷手段と、
複数のページで共通する再利用可能オブジェクトを含むページに対してプルーフ印刷を実行し、前記プルーフ印刷により得られる印刷物を前記第２の排紙部に出力するプルーフ印刷手段と、
前記プルーフ印刷が実行された後であり、かつ、色合わせが実行される前のページデータにおいて、前記再利用可能オブジェクトを含むページデータに対して前記プルーフ印刷が実行されず、前記プルーフ印刷が行なわれた後であり、かつ、前記色合わせが実行された後のページデータにおいて、前記再利用可能オブジェクトを含むページデータに対して前記プルーフ印刷が適用されるように前記プルーフ印刷手段を制御する制御手段と、
を有することを特徴とする印刷装置。
【請求項７】
印刷データに基づいて印刷処理を実行する印刷装置が実行する制御方法であって、
印刷対象のページデータに含まれる、複数のページデータで共通して再利用可能な再利用可能オブジェクトと同一の再利用可能オブジェクトが、記憶装置の保存領域に保存されているか否かを判定する判定ステップと、
前記判定ステップによって、前記再利用可能オブジェクトと同一の再利用可能オブジェクトが、記憶装置の保存領域に保存されていないと判定された場合、前記再利用可能オブジェクトを前記記憶装置の保存領域に保存すると共に、前記ページデータのプルーフ印刷を行うよう制御する制御ステップと、
を含むことを特徴とする制御方法。
【請求項８】
前記判定ステップでは、印刷対象のページデータに含まれ、かつ、予め指定された、複数のページデータで共通して再利用可能な再利用可能オブジェクトと同一の再利用可能オブジェクトが、記憶装置の保存領域に保存されているか否かを判定し、
前記制御ステップでは、前記判定ステップによって前記再利用可能オブジェクトと同一の再利用可能オブジェクトが、記憶装置の保存領域に保存されていないと判定された場合、前記再利用可能オブジェクトを前記記憶装置の保存領域に保存すると共に、前記ページデータのプルーフ印刷を行うよう制御することを特徴とする請求項７に記載の制御方法。
【請求項９】
前記制御ステップでは、プリンタステップより色合わせを実行した旨のイベント通知を受け取った場合、前記記憶装置の保存領域に保存されている再利用可能オブジェクトを削除することを特徴とする請求項７又は８に記載の制御方法。
【請求項１０】
前記制御ステップでは、操作ステップを介してユーザ指示を受け取った場合、前記記憶装置の保存領域に保存されている再利用可能オブジェクトを削除することを特徴とする請求項７又は８に記載の制御方法。
【請求項１１】
前記制御ステップでは、前記プルーフ印刷によって得られる印刷物の排紙先と異なる排紙先に前記印刷データに基づいて実行される通常印刷によって得られる印刷物が排紙されるように制御することを特徴とする請求項７乃至１０の何れか１項に記載の制御方法。
【請求項１２】
第１の排紙部と第２の排紙部とを備える印刷装置における制御方法であって、
前記印刷装置は、
印刷データに基づいて実行された通常印刷により得られる印刷物を前記第１の排紙部に出力する通常印刷手段と、
複数のページで共通する再利用可能オブジェクトを含むページに対してプルーフ印刷を実行し、前記プルーフ印刷により得られる印刷物を前記第２の排紙部に出力するプルーフ印刷手段と、
を有し、
前記印刷装置が、
前記プルーフ印刷が実行された後であり、かつ、色合わせが実行される前のページデータにおいて、前記再利用可能オブジェクトを含むページデータに対して前記プルーフ印刷が実行されず、前記プルーフ印刷が行なわれた後であり、かつ、前記色合わせが実行された後のページデータにおいて、前記再利用可能オブジェクトを含むページデータに対して前記プルーフ印刷が適用されるように前記プルーフ印刷手段を制御する制御ステップを含むことを特徴とする制御方法。
【請求項１３】
印刷データに基づいて印刷処理を実行するコンピュータを、
印刷対象のページデータに含まれる、複数のページデータで共通して再利用可能な再利用可能オブジェクトと同一の再利用可能オブジェクトが、記憶装置の保存領域に保存されているか否かを判定する判定手段と、
前記判定手段によって、前記再利用可能オブジェクトと同一の再利用可能オブジェクトが、記憶装置の保存領域に保存されていないと判定された場合、前記再利用可能オブジェクトを前記記憶装置の保存領域に保存すると共に、前記ページデータのプルーフ印刷を行うよう制御する制御手段と、
して機能させることを特徴とするプログラム。
【請求項１４】
第１の排紙部と第２の排紙部とを備えるコンピュータを、
印刷データに基づいて実行された通常印刷により得られる印刷物を前記第１の排紙部に出力する通常印刷手段と、
複数のページで共通する再利用可能オブジェクトを含むページに対してプルーフ印刷を実行し、前記プルーフ印刷により得られる印刷物を前記第２の排紙部に出力するプルーフ印刷手段と、
前記プルーフ印刷が実行された後であり、かつ、色合わせが実行される前のページデータにおいて、前記再利用可能オブジェクトを含むページデータに対して前記プルーフ印刷が実行されず、前記プルーフ印刷手段が行なわれた後であり、かつ、前記色合わせが実行された後のページデータにおいて、前記再利用可能オブジェクトを含むページデータに対して前記プルーフ印刷が適用されるように前記プルーフ印刷手段を制御する制御手段と、
して機能させることを特徴とするプログラム。
【請求項１５】
請求項１３又は１４に記載のプログラムを記憶したコンピュータにより読み取り可能な記憶媒体。